(57)【要約】【課題】  かえり部の最低部に切欠部を設け、内容液を容器内に戻すようにしたキャップの注出口を提供すること。【解決手段】  キャップに設けられた注出口であって、キャップの容器側に隔壁を設け、該隔壁に、切断溝を破断して注出口を形成する除去壁を設け、隔壁と除去壁との間に除去壁を下側にして段差を設け、段差面と切断溝との間に薄肉部を形成し、除去壁の抜栓時に、少なくとも注出口周辺の一部に形成されるかえり部に切欠き部を設け、液戻し可能としたことを特徴とする。【選択図】  図１
2010274976.tif 000002
【特許請求の範囲】
【請求項１】
キャップに設けられた注出口であって、
キャップの容器側に隔壁を設け、該隔壁に、切断溝を破断して注出口を形成する除去壁を設け、
隔壁と除去壁との間に除去壁を下側にして段差を設け、段差面と切断溝との間に薄肉部を形成し、
除去壁の抜栓時に、少なくとも注出口周辺の一部に形成されるかえり部に切欠き部を設け、液戻し可能としたことを特徴とするキャップの注出口。
【請求項２】
切断溝の最低部に、薄肉とした破断部とリブ形状部とからなる切断部を設けることによって切欠き部を形成したことを特徴とする請求項１記載のキャップの注出口。
【請求項３】
切断溝の最低部に、溝の深さを浅くして、薄肉部に下方に突出する凸部を形成するとともに、凸部の端部を隔壁側に延在させたことによって切欠き部を形成したことを特徴とする請求項１記載のキャップの注出口。
【請求項４】
切断溝の最低部に対向する隔壁に、一対の液垂れリブを垂設したことを特徴とする請求項２、または３記載のキャップの注出口。
【発明の詳細な説明】
【技術分野】
【０００１】
本発明は、キャップ、とくにキャップの注出口に関するものである。
【背景技術】
【０００２】
キャップ基体に注出筒を設け、注出筒の底壁に切断溝によって抜き取り可能な除去部を形成して、使用にあたって、除去部を引き上げて抜き去り、注出口を形成することは、従来より普通に知られており、除去部の引き上げによる切断溝の切断を容易にするため、除去部の上面と注出筒底壁との間に、段差をつけて段部を形成するようにしたものも、従来より知られている（例えば、特許文献１参照）。
【先行技術文献】
【特許文献】
【０００３】
【特許文献１】実公昭５８−１５３１５号公報
【発明の概要】
【発明が解決しようとする課題】
【０００４】
しかしながら、従来の注出口部では、プルリングを上方に引き上げることによって、除去部を切断溝に沿って切断するが、除去部の内側で切断される場合、切断溝上方の薄肉部が上方に引き延ばされ、注出口に接する底壁にかえり部が形成されることがあった。
その際、内容液の注出後に、注出筒底壁内に残った液がかえり部分に滞留して、容器内に戻らないという問題が生じることがあった。
また、底壁に傾斜がある場合でも、かえり部分で形成された溝を流れ、一番低くなったところで滞留し、滞留した液は、容器内に戻らない。
【０００５】
本願発明は、上記の問題を解決することを課題とし、かえり部の最低部に切欠部を設け、内容液を容器内に戻すようにしたキャップの注出口を提供することを目的とする。
【課題を解決するための手段】
【０００６】
本発明は、上記の課題を解決するため、キャップの注出口として、キャップに設けられた注出口であって、キャップの容器側に隔壁を設け、該隔壁に、切断溝を破断して注出口を形成する除去壁を設け、隔壁と除去壁との間に除去壁を下側にして段差を設け、段差面と切断溝との間に薄肉部を形成し、除去壁の抜栓時に、少なくとも注出口周辺の一部に形成されるかえり部に切欠き部を設け、液戻し可能としたことを特徴とする構成を採用する。
【０００７】
切断溝の実施例として、切断溝の最低部に、薄肉とした破断部とリブ形状部とからなる切断部を設けることによって切欠き部を形成したことを特徴とする構成、または、切断溝の最低部に、溝の深さを浅くして、薄肉部に下方に突出する凸部を形成するとともに、凸部の端部を隔壁側に延在させたことによって切欠き部を形成したことを特徴とする構成を採用する。
さらにまた、切断溝の最低部に対向する隔壁に、一対の液垂れリブを垂設したことを特徴とする構成を採用する。
【発明の効果】
【０００８】
本発明のキャップは、隔壁と注出口を形成する除去壁との間に除去壁が下側になるように段差を設け、段差面と切断溝との間に薄肉部を形成し、最低部となる薄肉部の一部分を狭くしたので、除去壁の抜栓時に形成されるかえり部に切欠けができ、液注出後に、隔壁に滞留していた液が、容器内に戻されるようになった。
また、短径部に切断溝に沿って液垂れリブを垂設したときには、液戻りを一層よくすることができた。
【図面の簡単な説明】
【０００９】
【図１】本発明ヒンジキャップの上蓋を開蓋した状態を示す説明図で、（ａ）は断面立面図、（ｂ）は下面図である。
【図２】ヒンジキャップの説明図で、（ａ）は一部断面側面図、（ｂ）は要部拡大図である。
【図３】除去壁抜栓後の隔壁の破断面を説明する図で、（ａ）は注出筒の断面立面図、（ｂ）はかえり部の拡大説明図、（ｃ）はＡ−Ａ線における拡大説明図である。
【図４】第２実施例のヒンジキャップ基体の下面図である。
【図５】注出筒の説明図で、（ａ）は一部断面側面図、（ｂ）は要部拡大説明図である。
【図６】注出筒の除去壁抜栓時の説明図で、（ａ）は隔壁周辺部の上面図、（ｂ）はキャップ基体の断面立面図である。
【発明を実施するための形態】
【００１０】
次に、本発明のキャップについて、実施例をあげ、図面を参照して説明する。
【実施例１】
【００１１】
図１において、Ａはキャップ基体、ＢはヒンジＣによってキャップ基体Ａに連設された蓋体である。
【００１２】
図１に示すように、キャップ基体Ａは、容器口部に嵌合される嵌合筒１と、嵌合筒１に連設した注出筒２とを具えている。
嵌合筒１は、内筒３と外筒４と、蓋係合部５を立設した上壁６とからなっている。
内筒３の下端から内方に突出する連結壁７が突設され、連結壁７の内縁から注出筒２が立設されている。
注出筒２の下端部には、隔壁８が連設されており、隔壁８の中央部には、注出口を形成するための除去壁９が切断溝１０によって区画されている。
【００１３】
図１、２に示すように、除去壁９の平面形状は、注出方向を長手方向とした四辺形に近い形状となっているが、隔壁８との間には、段差１１が設けられており、切断溝１０との間は、薄肉部１２となっている。
除去壁９の縦断面形状は、長径部中心線に沿って中央部が凹んだ凹部となっており、除去壁９の短径部では、折曲面の交差線となっている。
短径部は、隔壁８の外周周縁より著しく下方に形成され、隔壁８は除去壁９周辺の薄肉部１２に向かって傾斜面となっている。
【００１４】
上記実施例では、除去壁の形状を四辺形としたが、楕円形、或いは円形であってもよく、また、縦断面形状は、中央部が湾曲凹部であってもよく、短径部を折曲面の交差線としなくてもよい。
【００１５】
短径部においては、切断溝１０は、薄肉の短い破断部１３と、該破断部１３に続くリブ形状部１４とからなる変形切断溝１５が形成されている。
また、短径部の隔壁８周縁には、破断部１３に接して一対の液垂れリブ１６が垂設されている。
除去壁９の所定の位置には、支柱部１７を介してプルリング１８が連設されている。
【００１６】
実施例では、除去壁９の短径部が切断溝の最低部となっているが、除去壁９の形状に対応して、除去壁周縁の切断溝の最低部であればよい。
【００１７】
次に、本実施例の作用効果について説明する。
液注出にあたって、プルリング１８を引張りあげ、切断溝１０を破断して除去部９を取り去り、図３に示すように、注出口を開口する。
その際、薄肉部１２は、除去部９周辺に付随して引張りあげられ、破断時には、隔壁８の周辺にひき延ばされた部分によって、かえり部２０が形成される。
かえり部２０は、場合によっては注出口周辺全周にわたって形成されることも、また、部分的に、間欠的に形成されることもあるが、少なくとも注出口周辺の一部に形成されている。
【００１８】
短径部では、薄肉の短い破断部１３が破断され、除去壁９のリブ形状部１４が引張りあげられるので、かえり部２０は形成されず、切欠け部２１となっている。
【００１９】
かえり部２０が注出口周辺のどの部分に形成されていても、切欠け部２１は、注出口周辺の最低部に形成されることになる。
【００２０】
液注出にあたって、内容液の注出後に、容器を正立させると、隔壁８周辺のかえり部２０が液誘導溝として作用し、隔壁８上の残留液を注出口の短径部に誘導する。
そして、切欠け部２１を誘導路としてかえり部２０を通過した内容液の全ては、切欠け部２１を液戻し口として容器内に戻すことができ、さらに液垂れリブ１６によって、確実に滴下される。
【実施例２】
【００２１】
次に、本発明の第２実施例のキャップについて説明する。
第２実施例は、除去部と隔壁との間の薄肉部の構成を変更したもので、第１実施例と同一の構成については、同一の符号を付して図示するにとどめ、以下相違点を中心に説明する。
【００２２】
図４は、第２実施例のキャップ基体Ａの下面図で、図において、８は注出筒の隔壁、１６は液垂れリブ、９は除去壁、３０は切断溝である。
図５、６に示すように、切断溝３０は、短径部において、隔壁８の側にわずかに突出する突出部３１を設けるとともに、他の部分より浅くして厚肉の薄肉部３２を形成している。
【００２３】
液注出にあたって、プルリング１８を引張りあげると、切断溝３０の破断とともに、薄肉部３２も破断され、隔壁８周縁側に凹部３３を形成することができる。
凹部３３により、かえり部２０が切欠けられ、液戻し部３４が形成され、第１実施例と同様の作用効果を得ることができる。
【００２４】
前記各実施例では、キャップ基体に上蓋をヒンジで連続したヒンジキャップについて説明したが、キャップ基体の蓋嵌合部に代え、螺合筒を立設し、上蓋を螺合させるようにしてもよい。
【００２５】
前記各実施例においては、ヒンジキャップについて説明したが、本発明は、注出口を開口して内容液を注出するキャップであればよく、ねじキャップ、嵌合キャップ、或いは中栓であってもよい。
また、注出口の形状についても、円形、楕円形、角形などで、注出口周縁に高低差があり、切欠け部が切断溝の最低部にあればよいので、実施例に限定されない。
【産業上の利用可能性】
【００２６】
本発明は、注出筒の隔壁と、除去壁の間に、注出口を形成する除去壁が下側になるように段差を設け、切断溝の上面を薄肉部とし、除去壁の短径部にリブと、短い薄肉部を設けたことによって除去壁の抜栓時に形成されるかえり部に切欠け部が設けられ、内容液の注出後に隔壁に滞留する液を、容器内に戻すことができるようになったので、ヒンジキャップ、ねじキャップ、中栓など、注出口を開口して液注出する容器の注出部として広く利用することができる。
【符号の説明】
【００２７】
Ａ          キャップ本体
Ｂ          蓋体
Ｃ          ヒンジ
１          嵌合筒
２          注出筒
３          中筒
４          外筒
５          蓋係合部
６          上壁
７          連結壁
８          隔壁
９          除去壁
１０、３０  切断溝
１１        段差
１２、３２  薄肉部
１３        破断部
１４        リブ形状部
１５        変形切断溝
１６        液垂れリブ
１７        支柱部
１８        プルリング
２０        かえり部
２１        切欠け部
３１        突出部
３３        凹部
３４        液戻し部
【図１】
2010274976.tif 000003
【図２】
2010274976.tif 000004
【図３】
2010274976.tif 000005
【図４】
2010274976.tif 000006
【図５】
2010274976.tif 000007
【図６】
2010274976.tif 000008